(57)【要約】      （修正有）【課題】バイアル壜が薬液で汚れることを抑制可能な暴露防止箱を提供する。【解決手段】本発明の暴露防止箱１００は、排気装置に連結して用いるもので、バイアルＢの封止部材を押さえる押圧部４ａの中央に、シリンジ針Ｃ１を挿通するシリンジ針挿通孔を設け、シリンジ針Ｃ１をバイアルの封止部材に刺したところからスプラッシュしたミストやガスが内箱２内に侵入しないよう構成した。また、シリンジ針挿通孔内部にスプラッシュしたミストやガスを、外箱１と内箱２の間に設けた排気路１１１，１３１，１４１，１５１を通して排気口から排気する。【選択図】図５
2019058338.tif 000002
【特許請求の範囲】
【請求項１】
排気装置に連結して、バイアルとシリンジの間で薬液や溶解液等の移送を行う際に用いられる暴露防止箱であって、
前記排気装置に連結される排気口を有する中空の外箱と、
前記外箱の内部に設けられる内箱と、
前記内箱と前記外箱の間に設けられる送気路と、
前記内箱の内部に設けられるバイアル載置台と
を備え、
前記外箱は、シリンジを挿通するとともに前記外箱の外部と前記送気路を連通するシリンジ挿入口を有し、
前記内箱は、バイアル載置台に載置したバイアルの封止部材を押圧する押圧部を有し、
前記押圧部は、中央に前記シリンジ挿入口に挿入したシリンジのシリンジ針を挿通するとともに前記送気路と前記内箱の内部を連通するシリンジ針挿通孔を含み、
前記送気路は、前記シリンジ挿入口、及び前記排気口に連通することを特徴とする暴露防止箱。
【請求項２】
前記排気装置が作業台を有するとともに作業台上の空気を作業台の下部空間へ吸引して排気を行うよう構成された作業台付排気装置であり、
前記作業台は、前記下部空間に連通する暴露防止箱設置用開口部を有し、
前記暴露防止箱設置用開口部に前記排気口が連結される請求項１に記載の暴露防止箱。
【請求項３】
前記内箱は、内部を前記排気口に連通させる排出孔を有する請求項１、又は請求項２に記載の暴露防止箱。
【請求項４】
前記内箱は、開閉扉により開閉する搬入口を備え、前記排出孔は、前記搬入口の下縁に沿って設けられている請求項１から請求項３のいずれか１項に記載の暴露防止箱。
【請求項５】
前記押圧部は、バイアルの封止部材に接離可能に構成されている請求項１から請求項４のいずれか１項に記載の暴露防止箱。
【請求項６】
前記搬入口を、前後一対に備える請求項１から請求項５のいずれか１項に記載の暴露防止箱。
【請求項７】
請求項２に記載の暴露防止箱を備え、作業台上の空気を作業台の下部空間へ吸引して排気を行う作業台付排気装置。
【発明の詳細な説明】
【技術分野】
【０００１】
この発明は、抗癌剤の調製や有機溶剤などの処理等を目的として、バイアルとシリンジの間で薬液や生理食塩水、蒸留水、有機溶剤等の溶剤（以下、単に「薬液」と称す。）を移送する作業において、薬液等による暴露を防止する暴露防止箱に関する。
【背景技術】
【０００２】
本発明者は、未だ出願公開されていないが、かかる暴露防止箱について先に特許出願（特許文献１）を行っている。
特許文献１の暴露防止箱は、天壁にシリンジを挿入する挿入口を設け、箱体内部に予めセットしたバイアルに当該挿入口から挿入したシリンジの針を刺し込んで、作業者が箱体内部に手を入れることなくバイアルとシリンジの間で薬剤の移送操作が行なえるようにしたものであり、当該挿入口から吸い込んだ空気を底壁の排気口から安全キャビネットの作業室の下部空間へ排気して、箱体内部で発生した薬剤の蒸気やミストを除去するようにしたものである。
【先行技術文献】
【特許文献】
【０００３】
【特許文献１】特願２０１７−０９２３５０号
【発明の概要】
【発明が解決しようとする課題】
【０００４】
しかし、バイアルとシリンジの間で薬液を移送する際には、バイアルの封止部材にシリンジを刺した個所から薬液がスプラッシュすることがあり、特許文献１の暴露防止箱ではスプラッシュした薬液がバイアルの瓶に付着する場合があり、バイアルを取り出す際に作業者の手袋等に薬液が付着する虞がある。
本発明は、上記課題に鑑みてなされたものであり、バイアルから薬液がスプラッシュした場合であっても、その瓶に薬液が付着することを効果的に抑制できる暴露防止箱の提供を目的とする。
【課題を解決するための手段】
【０００５】
上記の課題を解決するためになされた発明は、排気装置に連結して、バイアルとシリンジの間で薬液や溶剤等の移送を行う際に用いられる暴露防止箱であって、前記排気装置に連結される排気口を有する中空の外箱と、前記外箱の内部に設けられる内箱と、前記内箱と前記外箱の間に設けられる送気路と、前記内箱の内部に設けられるバイアル載置台とを備え、前記外箱は、シリンジを挿通するとともに前記外箱の外部と前記送気路を連通するシリンジ挿入口を有し、前記内箱は、バイアル載置台に載置したバイアルの封止部材を押圧する押圧部を有し、前記押圧部は、中央に前記シリンジ挿入口に挿入したシリンジのシリンジ針を挿通するとともに前記送気路と前記内箱の内部を連通するシリンジ針挿通孔を含み、前記送気路は、前記シリンジ挿入口、及び前記排気口に連通することを特徴としている。
【０００６】
このように、本発明の暴露防止箱では、バイアルの封止部材を押圧する押圧部の中央にシリンジ針を挿通するシリンジ針挿通孔を設けたので、バイアルの封止部材にシリンジ針を刺した個所の周囲は、封止部材と押圧部材の密着した部分により囲まれるため、当該箇所からスプラッシュした薬液が内箱内に飛散してバイアル壜に付着することを効果的に抑制できる。
そして、外箱と内箱の間に、シリンジ挿入口と排気口に連通する送気路を設け、シリンジ挿入口を送気室に連通させたことで、シリンジ針挿通孔の内部に霧散した薬液を、内箱内部を通さず、送気路を介して作業室の下部空間へ排出することができるため、これによってもバイアル壜に薬液が付着することを抑制できる。
【０００７】
前記排気装置は作業台を有するとともに作業台上の空気を作業台の下部空間へ吸引して排気を行うよう構成された作業台付排気装置であり、前記作業台は、前記下部空間に連通する暴露防止箱設置用開口部を有し、前記暴露防止箱設置用開口部に前記排気口が連結されることが好ましい。作業室の下部空間から排気を行う安全キャビネットやアイソレーター、局所排気装置、プッシュプル型排気装置等の作業台の上部空間の空気を作業台の下部に吸引して排気する作業台排気装置に暴露防止箱を取り付け、作業台上に設けられたエアシールドの中に、暴露防止箱を置いて、作業を行うことにより、暴露防止箱と、作業台付排気装置のエアシールドの２重のシールドにより、暴露事故をより効果的に防止することができる。
【０００８】
前記内箱は、内部を前記排気口に連通させる排出孔を有することが好ましい。薬液の移送作業が完了して、バイアルを当該暴露防止箱から取り出す際には、シリンジ針挿通孔の内部が内箱内部に解放されて、シリンジ針挿通孔に付着した薬液から発生したミストやガスが内箱内を汚染することとなる。バイアルは、開閉扉を開けて取り出すため、内箱内部に薬液のミストやガスが充満していると、作業者がこれに汚染される虞がある。このように、内箱内部を排気口に連通させておくことで、内箱内部に発生した薬液のミストやガスを排気口から排出できるため、扉を開けてバイアルを取り出す際の薬剤から発生したミストやガスに汚染されることを抑制できる。
【０００９】
前記内箱は、開閉扉により開閉する搬入口を備え、前記排出孔は、前記搬入口の下縁に沿って設けられていることが好ましい。こうすることで、バイアルを取り出す際に排出孔へ吸い込まれる気流によって搬入口をエアシールドすることができる。
【００１０】
前記押圧部は、バイアルの封止部材に接離可能に構成されていることが好ましい。こうすることで、バイアル載置台にバイアルを載置し易い。
【００１１】
本発明の暴露防止箱は、前記搬入口を、前後一対に備えることが好ましい。こうすることで、暴露防止箱の内部を容易に清掃することができる。
【００１２】
本発明は、上記の暴露防止箱を備え、作業台上の空気を作業台の下部空間へ吸引して排気を行う作業台付排気装置を含む。
【発明の効果】
【００１３】
以上説明したように、本発明の暴露防止箱によれば、バイアルの封止部材にシリンジ針を刺した個所から薬液が飛散した場合に、バイアルの瓶の表面に薬液が付着することを抑制できる。
【図面の簡単な説明】
【００１４】
【図１】本発明の第１実施形態に係る作業台付排気装置（安全キャビネット）の作業台周辺を示した部分斜視図である。
【図２】図１に示した暴露防止箱の斜視図である。
【図３】図１に示した作業台付排気装置の暴露防止箱設置用開口部を示した要部斜視図である。
【図４】図２に示した暴露防止箱の（ａ）部分透視正面図、（ｂ）部分透視側面図である。
【図５】（ａ）図４（ｂ）におけるＹ−Ｙ線断面図、（ｂ）図４（ａ）おけるＸ−Ｘ線断面図である。
【図６】図２の暴露防止箱の平面図である。
【図７】図２暴露防止箱のシリンジ針挿通管が上下してバイアルの封止部材を押圧する様子を示した部分断面図である。
【図８】本発明の第２実施形態に係る排気装置である。
【発明を実施するための形態】
【００１５】
以下、適宜図面を用いながら本発明の実施形態について詳述する。尚、本発明は、以下の実施形態に限られるものではない。
（第１実施形態）
図１は、本発明の第１実施形態に係る作業台付排気装置（排気装置）Ｄの作業台Ｄ２周辺を示している。作業台付排気装置Ｄは、ＪＩＳＫ３８００におけるバイオハザード対策用クラスIIキャビネットの分類Ｂ２に属する開放型・全排気型に構成された安全キャビネットからなり、複数の暴露防止箱１００を備えている。図１では、３つの暴露防止箱に異なる大きさのバイアルＢが設置されている。
【００１６】
作業台付排気装置Ｄは、図１に示すように、シャッターＤ１と、作業台Ｄ２と、これらの間に設けられる作業用開口部Ｄ３と、暴露防止箱設置用開口部Ｄ６とを備えている。作業用開口部Ｄ３は、作業台Ｄ２手前のグレーチングに設けられた吸気口Ｄ４から、作業室Ｄ７の空気と作業用開口部Ｄ３から流入した空気を吸引して設けた気流により、シールドされている。
【００１７】
作業台Ｄ２は、暴露防止箱設置用開口部Ｄ６が左右方向に６つ並べて設けられている。暴露防止箱設置用開口部Ｄ６は、図３に示すように、蓋板Ｄ６１と、作業台Ｄ２を貫通する平面視略正方形の貫通孔からなる嵌合受部Ｄ６２とからなり、嵌合受部Ｄ６２の周縁には、蓋板Ｄ６１を作業台Ｄ２と面一に支持する鍔部Ｄ６２ａと、嵌合受部Ｄ６２の四方の周壁Ｄ６２ｂから延出する４つの挟持部材Ｄ６４を有している。挟持部材Ｄ６４は、Ｌ字金具Ｄ６４ａと、ゴムパッドＤ６４ｂとで構成されている。嵌合受部Ｄ６２の下側の開口は、パンチングボードＤ６３にて通気自在に閉塞されている。
なお、暴露防止箱の数は、作業台の有効スペースを踏まえて増減させることが可能である。場合によっては、１個のみ取り付けることもできる。この場合、内箱内部のバイアル載置台やバイアルの封止部材を押圧する押圧部を交換することで、設置するバイアルのサイズに対応する。
【００１８】
暴露防止箱１０は、図２に示すように、外箱１と、内箱２と、内箱２の内部に設けられるバイアル載置台３とを主に備えている。外箱１、及び内箱２は、略全体がアクリル等の透明な硬質樹脂により形成されている。なお、暴露防止箱は薬液の種類によって、一部をステンレス等の金属製にすることもできる。
【００１９】
外箱１は、直方体の箱状に形成され、平面視略正方形の天壁１１、及び底壁１２と、長方形の左右一対の側壁１３，１４と、前後一対の開閉扉１５，１６とを備えている。外箱の天壁は清掃や吸収シートが設置しやすくするため、開閉可能な蓋とすることもできる。
【００２０】
天壁１１は、中央に円形貫通孔からなるシリンジ挿通孔１１ａと、シリンジ挿通孔１１ａを囲繞する角枠１１ｂと、角枠１１ｂの内側に載置される偏平の八角柱状のシリンジガイド１１ｃとを有している。シリンジガイド１１ｃは、中央に上下方向に貫通するシリンジ案内孔１１ｄを有し、使用するシリンジ径に合わせて適宜のシリンジ案内孔１１ｄを有するものと交換するために、天壁１１とは別体に設けられている。
天壁１１は、角枠１１ｂの内側の４隅に吸気孔１１ｆを有しており、シリンジガイド１１ｃは、吸気孔１１ｆをかわすべく８角形に設けられている。
【００２１】
底壁１２は、中央に正方形の貫通孔からなる排気口１２２を有している。排気口１２２は、周囲に垂設される４枚の板材からなる角枠状の嵌合部１２ａを有している。
【００２２】
開閉扉１５，１６は、長方形の本板１５ａ，１６ａと、天壁１１、底壁１２、側壁１３，１４と面一になるよう本板１５ａ，１６ａの周囲に垂設される側板１５ｂ，１６ｂと、把手１５ｄ，１６ｄとを有し、開き戸状に開閉するよう上下一対の樹脂製の蝶番５により左の側壁１３に連結されている。
開閉扉１５，１６の内側には、水平断面がコ字状の隔壁１５ｃ，１６ｃが設けられ、本板１５ａ，１６ａと、隔壁１５ｃ，１６ｃの間に送気室１５１，１６１が形成される。
隔壁１５ｃ，１６ｃは、それぞれ内箱２の前扉、後扉を兼ねている。
外箱１の、開閉扉１５，１６によって開閉される前方、及び後方の開口部１５２，１６２は、上下に外箱と内箱の間の空間を塞ぐための縁板１５ｆ，１５ｇ，１６ｆ，１６ｇを有している。
【００２３】
内箱２は、天壁２１と底壁２２と左右の側壁２３，２４とにより前後方に開口した箱型に形成されている。天壁２１は、平面視で略矩形をなし、外箱１の天壁１１と上下方向に間隔を置いて、左右の両端を外箱１の左右の側壁１３，１４に接合されている。外箱１の天壁１１と、内箱２の天壁２１と、前後の縁板１５ｆ、１６ｆにより、吸気室（送気路）１１１が形成される。天壁２１は、左右の端縁に長方形の切欠きと外箱１の側壁１３，１４から形成された送気孔２１ａ，２１ａを有している。
【００２４】
天壁２１の中央には、シリンジ針挿通管４が設けられている。シリンジ針挿通管４は、図７に示すように、下端に下方に開口した有蓋の偏平円筒状の押圧部４ａと、天壁２１の中央に設けられた雌ねじ孔に螺合するよう外周面に雄ねじが刻設されて、当該雌ねじ孔を貫通する管状部４ｂとからなる。管状部４ｂの内部４ｅは押圧部４ａの上壁の中央の円形孔からなるシリンジ挿通孔４ｄにより、押圧部４ａの内部に連通している。押圧部の内側には、円環形のパッキン４ｃが配設される。押圧部４ａは、管状部４ｂを天壁２１の雌ネジ孔に対し螺回することで、図７に矢印で示したように、上下にスライドする。尚、押圧部４ａは、偏平円筒状でなく、周壁のない円板状でもよい。
また、天壁２１の上には、図２に示すように、不織布からなる吸取り布６が載置されている。吸取り布６は、中央にシリンジ針挿通管４の管状部４ｂを挿通する円形孔６ａを有している。
【００２５】
底壁２２は、平面視で略矩形をなし、外箱１の底壁１２と上下方向に間隔を置いて、左右の両端を外箱１の左右の側壁１３，１４に接合されている。外箱１の底壁１２と、内箱２の底壁２２と、前後の縁板１５ｇ、１６ｇにより、排気室（送気路）１２１が形成されている。また、底壁２２は、左右の端縁に長方形の切欠きと外箱１の側壁１３，１４とから形成された送気孔２２ａ，２２ａを有し、前後の端縁に沿って排出孔２２ｂ，２２ｂを有している。
【００２６】
側壁２３，２４は、略長方形の板状をなし、上端辺が、送気孔２１ａの内側端縁に沿って、天壁２１に接合され、下端辺は、底壁２２の送気孔２２ａの内側端縁に沿って、底壁２２に接合されており、側壁２３と外箱１の側壁１３の間、及び側壁２４と外箱１の側壁１４の間に送気室（送気路）１３１，１４１が形成される。送気室１３１，１４１は、送気孔２１ａにより、吸気室１１１に連通し、送気孔２２ａにより排気室１２１に連通しており、外箱１の天壁１１の吸気孔１１ｆ、又はシリンジ挿通孔１１ａから吸気室１１１に吸引された空気が、送気孔２１ａを通って送気室１３１，１４１に流送され、さらに、排出孔２２ｂを通って排気室１２１に流送されたのち、排気口１２２から作業台付排気装置Ｄの作業台Ｄ２下方の空間へ排出される。
また、吸気室１１１は、縁板１５ｆ，１６ｆの下端縁と、隔壁１５ｃ，１６ｃの上端縁の間に設けられた隙間からなる送気口２１ｂ，２１ｂにより、送気室１５１，１６１に連通し、送気室１５１，１６１は、排出孔２２ｂ，２２ｂにより排気室１２１に連通している。排出孔２２ｂ，２２ｂは、開閉扉１５，１６を閉じ、バイアル載置台３にバイアルＢを載置した状態では、送気室１５１，１６１の空気を排気室に誘導し、開閉扉１５，１６を開放し、バイアル載置台３が空の状態では、内室２内部の空気を排気室１２１へ誘導する。
尚、本実施形態に係る暴露防止箱１００を、暴露防止箱設置用開口部Ｄ６を備えない安全キャビネットに用いることも可能で、その場合、安全キャビネットのバキューム配管を用いて、暴露防止箱の送気室の空気を吸引する。あるいは、安全キャビネット等の作業台付排気装置を用いず、真空ポンプ等の排気装置、チューブを暴露防止箱に接続して、暴露防止箱の送気路を陰圧化して、暴露防止箱を単独で使用することも可能である。
【００２７】
バイアル載置台３は、ステンレス鋼の板材を板金加工して形成され、底壁２２上面に貼着される平板状の基板３１と、基板３１の後端縁に垂設される長板状の支柱部３２と、支柱部３２の上下方向の中間に棚板状に設けられる載置棚３３と、支柱部３２の上端部に設けられ、バイアルの首部を支持する首支持部３４とを備えている。載置棚３３及び首支持部３４は、後端の折返し部分に設けた上下に長い長穴３４ｂを介して支柱部３２にねじ３４ａで固定することで高さ調整可能に構成されている。尚、バイアル載置台３は、装着するバイアルの容量によって、交換することも可能である。
【００２８】
暴露防止箱１００を作業台付排気装置Ｄに設置する際には、作業台Ｄ２の暴露防止箱設置用開口部Ｄ６の蓋板Ｄ６１を開放し、暴露防止箱１００の嵌合部１２ａを嵌合受部Ｄ６２に嵌め込む。この際、嵌合部１２ａの周囲の４枚の板材を挟持部材Ｄ６４と嵌合受部Ｄ６２の周壁Ｄ６２ｂの間に刺し込む。
【００２９】
次に、作業台付排気装置Ｄを用いて、抗癌剤等が入ったバイアルＢにシリンジＣから溶解液等の薬液を移送する方法について説明する。バイアルＢは、図７に示すように、封止部材Ｂ２により封止されており、封止部材Ｂ２は、バイアル壜Ｂ１の開口部に刺し込んだゴム栓Ｂ３とゴム栓Ｂ３をバイアル壜Ｂ１に固定する金属製のキャップＢ４からなる。
【００３０】
薬液の移送作業にあたり、図１に示すように、まず、暴露防止箱１００の手前側の開閉扉１５を開放してバイアル載置台３の載置棚３３にバイアルＢを載置する。この際、必要に応じ、バイアル載置台３の、載置棚３３、及び首支持部３４の高さをバイアルＢの大きさに合わせて調節する。載置棚３３にバイアルＢを載置したら、図７に示すように、シリンジ針挿通管４を左回りに回して下降させ、バイアルＢの封止部材Ｂ２を押圧部４ａで押えてバイアルＢを固定し、開閉扉１５を閉じる。
【００３１】
こうして、バイアルＢをセットしたら、図５に示すように、予め内部に薬液を吸引したシリンジＣを、シリンジ針Ｃ１側から、シリンジガイド１１ｃを介して、外箱１のシリンジ挿通孔１１ａに挿通し、シリンジ針Ｃ１を内箱２のシリンジ針挿通管４の管状部４ｂに挿通し、シリンジ針Ｃ１をバイアルＢの封止部材Ｂ２のゴム栓Ｂ３に刺し込む。この際、シリンジガイド１１ｃは使用するシリンジＣの大きさに合わせて交換する。シリンジ針Ｃ１をゴム栓Ｂ３に刺し込んだらシリンジＣのピストンを押し下げてシリンジＣからバイアルＢ内へ薬液を注出する。
【００３２】
薬液の注出中に、シリンジ針Ｃ１をゴム栓Ｂ３に刺した個所から薬液がスプラッシュしても、バイアル押圧部４ａが、パッキン４ｃを介してバイアルの封止部材Ｂ２を押圧してシリンジ針挿通管４の内部４ｅと内箱２の内部を気密に隔絶しているので、霧散、あるいは気化した薬液が内箱２の内部に侵入することを効果的に抑制できる。尚、薬液がシリンジ針挿通管４の管状部４ｂの外側に大量に漏出した場合には、吸取り布６で薬液を吸取ることができる。
【００３３】
そして、シリンジ針挿通管４の内部に霧散等した薬液は、吸気室１１１から送気室１１３，１１４，１１５，１１６、及び排気室１２１を介して、排気口１２２から作業台付排気装置Ｄの作業台Ｄ２の下部空間へ排出される。
【００３４】
薬液の移送が完了したら、バイアルＢからシリンジ針Ｃ１を抜いて、シリンジＣをシリンジ挿通孔１１ａから退出させる。バイアルＢは、開閉扉１５を開いて、シリンジ針挿通管４を回動させて持ち上げたのち、取り出す。
【００３５】
薬液の移送が完了すると、暴露防止箱１００を作業台付排気装置Ｄの作業台Ｄ２から取外す。暴露防止箱設置用開口部Ｂ６は、蓋板Ｂ６１で塞いでおく。取り外した暴露防止箱１００は、別途設けた洗浄専用の設備で洗浄を行う。この際、暴露防止箱１００は、前後の両方に開閉扉１５，１６を有するため、内部の洗浄がし易い。
【００３６】
暴露防止箱１００は、使用しないときは作業台付排気装置Ｄから取外し、暴露防止箱設置用開口部Ｄ６を蓋板Ｄ６１で閉じれば、薬剤の調整以外の作業のために作業台Ｄ２を広く用いることができる。
また、暴露防止箱１００は、図示は省略したが、回転子を取付けることにより、暴露防止箱ごと前後に首振り可能に構成してもよい。こうすることで、バイアルＢ中の薬剤に溶解液を注入した際にバイアルＢを暴露防止箱１００ごと前後に振動させて、薬剤の溶解を促すことができる。また、暴露防止箱１００を後へ傾けることで、バイアルＢにシリンジ針Ｃ１を刺し込む際に、作業者がシリンジ針Ｃ１の先を視認しやすくなり、シリンジＣへ薬液を戻す際に、バイアルＢ内の薬液の液面を傾けて、シリンジ針Ｃ１からの薬液の吸引を助けることができる。さらに、暴露防止箱１００を後側へ倒すことで、押圧部４ａの内部をピンセットと脱脂綿等で清掃する際に、押圧部の内部が視認し易くなる。
【００３７】
（第２実施形態）
図８は、本発明の第２実施形態に係る作業台付排気装置２Ｄを示している。排気装置２Ｄは、暴露防止箱１００を備えている。排気装置２Ｄ本体は、平面視略正方形の箱体からなり、上面に作業台Ｄ２を有している。排気装置２Ｄの作業台Ｄ２は、中央に、暴露防止箱１００の嵌合部１２ａを嵌合する嵌合受部Ｄ６２を有している。排気装置本体ｄ１は、内部空間をポンプＰにより、暴露防止箱設置用開口部Ｄ６を介して、暴露防止箱１００の内部を吸引するよう構成されている。
また、作業台付排気装置２Ｄごと、暴露防止箱設置用開口部を備えない安全キャビネットの作業台に載置して、安全キャビネットのバキューム配管を用いて、暴露防止箱の送気路の空気を吸引してもよい。
尚、第２実施形態において、第１実施形態と共通する部材は同一符号を付して説明を省略する。
【００３８】
以上、本発明の暴露防止箱を備えた排気装置は、上記の実施例に限らず、例えば、作業台付排気装置は、上記の実施形態に限らず、アイソレーターや局所排気装置、プッシュプル型排気装置等であってもよい。暴露防止箱の開閉扉は少なくとも１つあればよい。押圧部は、バイアルの封止部材に対し接離するよう構成されていなくともよい。そのために、例えば、押圧部材は、ねじによりバイアルを押圧するのではなくバネ等により押圧するように構成してもよい。外箱、内箱とも、全体、又は一部に透明ではない樹脂を用いることができるし、金属により構成してもよい。排気路は、少なくとも１つ設ければよい。
【符号の説明】
【００３９】
１００  暴露防止箱
１  外箱
１１ａ  シリンジ挿入口
１１１，１２１，１３１，１４１，１５１，１６１  送気路
１２１  排気口
１５２，１６２  搬入口
２  内箱
２２ｂ  排出孔
３  バイアル載置台
４ａ  押圧部
４ｄ  シリンジ針挿通孔
Ｂ  バイアル
Ｃ  シリンジ
１  シリンジ針Ｃ
Ｄ，２Ｄ  排気装置（作業台付排気装置）
Ｄ２  作業台
【図１】
2019058338.tif 000003
【図２】
2019058338.tif 000004
【図３】
2019058338.tif 000005
【図４】
2019058338.tif 000006
【図５】
2019058338.tif 000007
【図６】
2019058338.tif 000008
【図７】
2019058338.tif 000009
【図８】
2019058338.tif 000010
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
排気装置に連結して、バイアルとシリンジの間で薬液や溶解液等の移送を行う際に用い
られる暴露防止箱であって、
前記排気装置に連結される排気口を有する中空の外箱と、
前記外箱の内部に設けられる内箱と、
前記内箱と前記外箱の間に設けられる送気路と、
前記内箱の内部に設けられるバイアル載置台と
を備え、
前記外箱は、シリンジを挿通するとともに前記外箱の外部と前記送気路を連通するシリ
ンジ挿入口を有し、
前記内箱は、バイアル載置台に載置したバイアルの封止部材を押圧する押圧部を有し、
前記押圧部は、中央に前記シリンジ挿入口に挿入したシリンジのシリンジ針を挿通する
とともに前記送気路と前記内箱の内部を連通するシリンジ針挿通孔を含み、
前記送気路は、前記シリンジ挿入口、及び前記排気口に連通することを特徴とする暴露
防止箱。
【請求項２】
前記排気装置が作業台を有するとともに作業台上の空気を作業台の下部空間へ吸引して
排気を行うよう構成された作業台付排気装置であり、
前記作業台は、前記下部空間に連通する暴露防止箱設置用開口部を有し、
前記暴露防止箱設置用開口部に前記排気口が連結される請求項１に記載の暴露防止箱。
【請求項３】
前記内箱は、内部を前記排気口に連通させる排出孔を有する請求項１、又は請求項２に
記載の暴露防止箱。
【請求項４】
前記内箱は、開閉扉により開閉する搬入口を備え、前記排出孔は、前記搬入口の下縁に
沿って設けられている請求項３に記載の暴露防止箱。
【請求項５】
前記押圧部は、バイアルの封止部材に接離可能に構成されている請求項１から請求項４
のいずれか１項に記載の暴露防止箱。
【請求項６】
前記搬入口を、前後一対に備える請求項４に記載の暴露防止箱。
【請求項７】
請求項２に記載の暴露防止箱を備え、作業台上の空気を作業台の下部空間へ吸引して排
気を行う作業台付排気装置。